(57)【特許請求の範囲】
【請求項１】
平面視方形をした周壁の中に孔あき板が水平に張られ、周壁の四隅の孔あき板の下面から脚が周壁より下方に突出する曝気ユニットを上下に複数段積み重ねた水の曝気装置であり、曝気ユニットを積み重ねたとき、上方の曝気ユニットの脚が下方の曝気ユニットの周壁の中に周壁間に間をあけて入り込み、かつ、下方の曝気ユニットの孔あき板の上にその脚に対して同心的に置かれるものである曝気装置。
【請求項２】
孔あき板の上に濾材が載設される請求項１の水の曝気装置。
【請求項３】
最下位の曝気ユニットの周壁の底に底板が張られるものであり、かつ、周壁の適所に排水口が設けられる請求項１又は２の水の曝気装置。
【発明の詳細な説明】
【０００１】
【発明の属する技術分野】
本発明は、魚類等を養殖する水の養殖力を高めたり、処理を要する汚水等の処理能力を高める水の曝気装置に関するものである。
【０００２】
【従来の技術】
魚類が養殖する養殖水槽の水は餌や糞で汚れるから、適宜濾過しなければならない。このため、養殖水槽に循環経路を付設し、水槽の中の水を循環経路に引き込んで濾材を通すことで清浄化している。ところが、養殖水槽の水の管理でもう一つ重要なことは、この水の中に酸素（空気）を取り込ませる、所謂、曝気をすることである。多くの場合、循環経路を流通中の水に高圧空気を吹き込んだりしているが、これだけでは十分ではない。
【０００３】
曝気の良否は、空気に触れる水の比表面積を如何に増すかにかかっているから、単に空気を吹き込んだりしても十分な効果は上げられない。この点で、養殖池等において、水面上に一部覗く羽根車を回転させたりしているものを見掛けるが、これも同様である。更に、下水を始めとする汚水を微生物の捕食作用で清浄化する方法があるが、その成果は水の中にいかに微生物を繁殖させるかにかかっている。微生物の繁殖は溶存酸素を増やすことであるが、これには上記した曝気が重要である。
【０００４】
【発明が解決しようとする課題】
本発明は、このような課題を解決するものであり、空気に触れる水の比表面積が増大することを可能にした曝気装置を具現したものである。又、本発明は、この曝気装置をユニット構成にし、必要な数だけ用いることで所望の曝気能が得られるようにしたものである。加えて、曝気装置をユニット化すれば、低コストで製作できる。
【０００５】
【課題を解決するための手段】
以上の課題の下、本発明は、請求項１に記載した、平面視方形をした周壁の中に孔あき板が水平に張られ、周壁の四隅の孔あき板の下面から脚が周壁より下方に突出する曝気ユニットを上下に複数段積み重ねた水の曝気装置であり、曝気ユニットを積み重ねたとき、上方の曝気ユニットの脚が下方の曝気ユニットの周壁の中に周壁間に間をあけて入り込み、かつ、下方の曝気ユニットの孔あき板の上にその脚に対して同心的に置かれるものである曝気装置を提供する。
【０００６】
本発明の曝気装置は、まず第一に、周壁の中に張られる孔あき板から水を滴下させるものであるから、この間に水は薄層化されて比表面積が増大し、空気の取込量が大きい。第二は、この曝気装置はユニット化された積み重ね式のものであるから、その段（数）を調整することで、所望の曝気能を得ることができる。又、このようなユニット式のものにすれば、安いコストで製作できる。更に、上下の曝気ユニットの脚は同心に配されるから、孔あき板は薄くて足りる。
【０００７】
更に、本発明は、請求項２に記載の、以上の曝気ユニットの孔あき板の上に濾材が載設されるものである手段を提供する。こうすると、濾過も兼ねることができるとともに、このとき、水が濾材の中を通過する間に更に薄層化されて比表面積が増し、空気の取込量が一層高まる。この他、請求項３に記載の、最下位の曝気ユニットの周壁の底に底板が張られるものであり、かつ、周壁の適所に排水口が設けられる手段によれば、これを最下段に用いることで、空気を取り込んだ水を側方に放出できる。従って、養殖水槽等に設置する場合、水槽の面積を狭めない水槽外に設置することも可能になる。
【０００８】
【発明の実施の形態】
以下、本発明の実施の形態を養殖水槽の水を曝気濾過する場合について図面を参照して説明する。図１は本発明に係る曝気装置を構成する曝気ユニットの斜視図、図２は本発明に係る曝気装置の使用状態を示す一部断面正面図であるが、本例の曝気装置は、平面視方形をした周壁１の中に孔開き板２が水平に張られ、孔開き板２の下方の四隅から脚３が周壁１の下方に突出している曝気ユニット４で構成される。
【０００９】
この場合において、孔あき板２は脚３の上に張られることになるが、これだけでは強度的に十分ではないときには、周壁１の内面にステー等（図示省略）を沿わせ、これで支持してもよい。又、周壁１の上端は外開きの漏斗形にしている。後述するように、上位の曝気ユニット４から落下されて来る水を極力受け止めるようにするためである。
【００１０】
更に、上記した脚３は下方の曝気ユニット４の周壁１の中に挿入でき、かつ、下方の脚３の上に重ねて置くことができるようになっている。従って、曝気ユニット４は、同一形状のもので足りるとともに、これを積み重ねることができるから、これによって所望の曝気能を得ることができる。この曝気装置による曝気については、最上位の曝気ユニット４の上に適宜に孔５が形成されて水槽６の水を導く導水管７を架設しておき、導水管７の孔５から水を放出する。放出された水は、下方の曝気ユニット４の中に落下する。
【００１１】
曝気ユニット４の中に落下した水は、孔あき板２の孔２ａを通り抜けて下位の曝気ユニット４の中に落下して行く。このときの落下中の水は、線状や粒状をしているが、いずれも薄層化されて比表面積が増したものとなっている。従って、曝気能が高く、空気の取込量が大きい。ところで、このとき、孔あき板２の上に濾材８を載設しておけば、水はこの濾材８でも曝気と濾過が行われる。
【００１２】
水が濾材８を通過する態様には、濾材８間を通過するものと濾材８そのものの中を透過するものとがあるが、いずれの場合でも、水は薄層化されて比表面積が増し、多くの空気を取り込む。この点で、濾材８は多孔質体のものが適するが、小石等であってもかまわない。尚、水が上記の態様で濾材８を通過する間には、この他に汚物やゴミ等は除外されて清浄化（濾過）もされる。
【００１３】
以上の作用を曝気ユニット４の数だけ繰り返し、最後に水槽６内に還元される。この還元された水は、所望量の空気を取り込むとともに、十分に清浄化されたものとなっている。従って、曝気能は、曝気ユニット４の数に対応したものとなるから、必要に応じてその数を調整すればよい。
【００１４】
図３、図４は他の例を示す曝気ユニット４の断面図であるが、本例のものは周壁１の底部に底板９を張るとともに、周壁１の適所に排水口１０を形成したものである。こうすることにより、曝気した水を側方に放出できるから、この曝気装置を水槽６の外部に設置することもできる。このとき、脚３を周壁１から下方に突出させないようにすれば、水槽６の縁等６ａに直接設置することもできる。
【００１５】
【発明の効果】
以上、本発明に係る曝気装置は、まず第一に、周壁の中に張られる孔あき板から水を落下させるものであるから、この間に水は薄層化されて比表面積が増大し、空気の取込量が大きい。第二は、この曝気装置はユニット化されて積み重ね式のものであるから、その段（数）を調整することで、所望の曝気能を得ることができるとともに、製作コストを抑制できる。
【図面の簡単な説明】
【図１】本発明の一例を示す曝気装置の曝気ユニットの斜視図である。
【図２】本発明の一例を示す曝気装置の使用状態の一部断面正面図である。
【図３】本発明の他の一例を示す曝気ユニットの一部断面側面図である。
【図４】本発明の他の一例を示す曝気ユニットの一部断面側面図である。
【符号の説明】
１      周壁
２      孔あき板
３      脚
４      曝気ユニット
８      濾材
９      底板
１０    排水口
【図１】
0003666856.tif 000002
【図２】
0003666856.tif 000003
【図３】
0003666856.tif 000004
【図４】
0003666856.tif 000005